(57)【要約】【課題】衣紋が奇麗に抜け、衿合わせを自由に調整でき、あらゆる体型に合わせて補正が可能で、紐を使用せず簡単に着用できる襦袢と、胴回りに合わせて調整が可能な裾除けとを組み合わせることにより、着崩れしない女性用和服下着を提供するものである。【解決手段】襦袢１を、左右の前身頃に胸部補正パット１０を収納するポケット７、８を設けると共に、この下部に鳩尾補正パット１１を収納するポケット９を設け、衿４の両下部にボタン２１を取付け、後身頃の略中央部に逆Ｖ形状に帯状のゴム１６を縫い付けてギャザー１７を形成し、この両端を引き出して、複数個のボタン孔２１を形成した連結部２０を形成し、更に後身頃の略中央部に腰補正パット１４を取付ける面ファスナー１３を設け、衿４に半衿５を面ファスナー１３で着脱自在に取付けたものである。【選択図】  図３
0003107843.tif 000002
【実用新案登録請求の範囲】
【請求項１】
襦袢と裾除けからなる女性用和服下着において、前記襦袢を、左右の前身頃に胸部補正パットを収納するポケットを設けると共に、この下部に鳩尾補正パットを収納するポケットを設け、衿の両下部にボタンを取付け、後身頃の略中央部に逆Ｖ形状に帯状のゴムを縫い付けてギャザーを形成し、この帯状のゴムの両端を引き出して、複数個のボタン孔を形成した連結部を形成し、更に後身頃の略中央部に腰補正パットを取付ける面ファスナーを設け、衿に半衿を面ファスナーで着脱自在に取付けたことを特徴とする女性用和服下着。
【請求項２】
裾除けを、横長長方形状をなす布の上部中間にゴムを縫い付けてギャザーを形成し、布の上部に面ファスナーを取付けたことを特徴とする請求項１記載の女性用和服下着。
【請求項３】
半衿を折り返して衿に面ファスナーで取付けた半衿の内側部分に、衿芯の収納部を形成したことを特徴とする請求項１記載の女性用和服下着。  
【考案の詳細な説明】
【技術分野】
【０００１】
本考案は、襦袢と裾除けとからなる補正機能を設けた女性用和服下着に関するものである。
【背景技術】
【０００２】
女性用和服を着る時には、肌襦袢を着てから、下半身に裾除けを着用し、次に長襦袢を着て腰紐で固定して、その上に訪問着や振袖など和服を着て、更に帯を締めて着付けしている。このように女性用の和服を着る場合には、下着の着付けに面倒な手数を要し、普段和服を着慣れていない人には、着崩れしないように着ることが難しかった。
【０００３】
このため美容院などで着付け師により着付けしていることが多いが、最近では簡単に着付けができる道具や下着が開発されている。例えば襦袢に補正パットを取り付けるようにしたものがあり、これは体型の凹凸を補正できるが、衣紋が奇麗に抜けず、また腰紐を使用するので緩んで着崩れしたり、体が締め付けられるなどの問題があった。
【考案の開示】
【考案が解決しようとする課題】
【０００４】
本考案は上記問題を改善し、衣紋が奇麗に抜け、衿合わせを自由に調整でき、あらゆる体型に合わせて補正が可能で、紐を使用せず簡単に着用できる襦袢と、胴回りに合わせて調整が可能な裾除けとを組み合わせることにより、着崩れしない女性用和服下着を提供するものである。
【課題を解決するための手段】
【０００５】
本考案の請求項１記載の女性用和服下着は、襦袢と裾除けからなる女性用和服下着において、前記襦袢を、左右の前身頃に胸部補正パットを収納するポケットを設けると共に、この下部に鳩尾補正パットを収納するポケットを設け、衿の両下部にボタンを取付け、後身頃の略中央部に逆Ｖ形状に帯状のゴムを縫い付けてギャザーを形成し、この帯状のゴムの両端を引き出して、複数個のボタン孔を形成した連結部を形成し、更に後身頃の略中央部に腰補正パットを取付ける面ファスナーを設け、衿に半衿を面ファスナーで着脱自在に取付けたことを特徴とするものである。
【０００６】
本考案の請求項２記載の女性用和服下着は、裾除けを、横長長方形状をなす布の上部中間にゴムを縫い付けてギャザーを形成し、布の上部に面ファスナーを取付けたことを特徴とするものである。
【０００７】
本考案の請求項３記載の女性用和服下着は、半衿を折り返して衿に面ファスナーで取付けた半衿の内側部分に、衿芯の収納部を形成したことを特徴とするものである。
【考案の効果】
【０００８】
本考案に係る請求項１記載の女性用和服下着によれば、伸縮性のある２本の連結部に取付けるだけで、誰でも簡単に着ることができると共に、体が締め付けられる感じがなく疲れない。また胸部補正パットにより、胸部分のくぼみが補正され、また鳩尾補正パットにより、胸と腹との間のくぼみを補正することができると共に、腰補正パットによりは腰部分のくぼみを補正することができる。
【０００９】
また帯状のゴム１６を後身頃の中間にＶ形状に縫い付けてギャザーが形成されているので、中央から下方や斜め下方に向かう引張り力が働き、衿が後方に引かれた状態となって衣紋が奇麗に抜け、長時間にわたって着崩れを防止することができ、美しい和服姿を維持することができる。
【００１０】
また請求項２記載の女性用和服下着によれば、裾除けを広げた状態で、腰に巻き付け、一方の面ファスナーを他方の面ファスナーに接合するだけで着ることができ、上部背面側にギャザーが入っているので体に馴染んで、どのような体型にも合わせることができる。また脱ぐ時もワンタッチで取外すことができる。
【００１１】
また請求項３記載の女性用和服下着によれば、半衿を折り返して衿に面ファスナーで取付けた半衿の内側部分に衿芯の収納部を形成したので、半衿や衿芯の取付けや取外しが容易である。
【考案を実施するための最良の形態】
【００１２】
襦袢と裾除けを組合せ、補正機能を備えた女性用和服下着を実現した。
【実施例】
【００１３】
以下本考案の実施例を図１ないし図１３を参照して詳細に説明する。図１は襦袢を示すもので、身頃２の両側に袖３、３が取付けられ、衿４に半衿５が取付けられている。左右の前身頃２Ａ、２Ｂの内側の、衿４の胸の近傍に図３に示すようにポケット７、８が取付けられ、更に右前身頃２Ｂのポケット７の下方に、ポケット９が設けられている。このポケット７、８に収納される胸部補正パット１０は図４に示すように半月状に形成され、またポケット９に収納される鳩尾補正パット１１は半割り楕円形状に形成されている。
【００１４】
また後身頃２Ｃの略中央部に面ファスナー１３が縦に３本取付けられ、ここに図４に示すように逆山形状に形成された腰補正パット１４を取付けるようになっている。この腰補正パット１４と前記胸部補正パット１０および鳩尾補正パット１１は内部がスポンジで形成されクッション性を保持するようになっている。
【００１５】
また後身頃２Ｃの背面には図２および図５に示すように、帯状の布が縫い付けられて左右が開口した逆Ｖ形状の袋１５が形成され、ここに帯状のゴム１６を貫通させて、逆Ｖ形状に縫い付けてギャザー１７が形成されている。また袋１５から引き出された帯状のゴム１６の両端は、図６に示すように、所定の間隔で複数個のボタン孔１９を開孔した連結部２０となっている。
【００１６】
この一方の連結部２０は図３に示すように左前身頃２Ａの内側に引き出されており、また他方の連結部２０は右前身頃２Ｂの外側に引きだれている。また左前身頃２Ａの内側の衿４の下部側には、一方のボタン２１が取付けられ、右前身頃２Ｂの外側の衿４の下部側には、他方のボタン２１が取付けられている。
【００１７】
また衿４には半衿５が面ファスナー１３で着脱自在に取付けられている。この半衿５は図７に示すように、下部に３カ所と上部に７カ所面ファスナー１３が取付けられ、これと対応する衿４の部分にも面ファスナー１３が取付けられている。２３は衿芯で、図８に示すように半衿５を折り返して衿４に取付けた間の内側部分に収納部２４を形成してここに挟み込んで固定するようになっている。
【００１８】
また裾除け２６は図１０および図１１に示すように、横長長方形状をなす布２７の上部中間に帯状のゴム２８を３本平行に縫い付けてギャザー１７を形成し、布２７の上部の端部と、中間に面ファスナー１３を取付けたものである。
【００１９】
次に上記構成をなす女性用和服下着の着付け方法について説明する。先ず裾除け２６を広げた状態で、ギャザー１７を形成した部分を背中側に位置させて腰に巻き付け、一方の面ファスナー１３を他方の面ファスナー１３に接合すると、ギャザー１７が入っているので図１１に示すように体に馴染んで、どのような体型にも合わせることができる。
【００２０】
次に図１１に示すように襦袢１を着て、身頃２の内側に引き出された一方の連結部２０を手でつかんで、右前身頃２Ｂの衿４に取付けたボタン２１を任意のボタン孔１９に掛けると、連結部２０は帯状のゴム１６で形成されて、更に後身頃２Ｃにギャザー１７が形成されているので、伸縮性があり体のサイズに合わせて着ることができる。
【００２１】
次に、左前身頃２Ａの外側に引き出されている、他方の連結部２０を手でつかんで、右前身頃２Ｂの衿４の内側に取付けたボタン２１を任意のボタン孔１９に掛け、衿合わせを調整することができる。このようにして、２本の連結部２０をボタン２１に取付けるだけでワンタッチで着付けを完了することができる。
【００２２】
なお体型によっては、胸部補正パット１０や鳩尾補正パット１１、腰補正パット１４を取付けなくても良く、またパットだけでは不足する時にはポケット７、８に更にハンカチなどの布を入れて厚さを調整しても良い。
【００２３】
従って本考案の女性用和服下着を用いれば、紐を使用せず、伸縮性のある２本の連結部２０をボタン２１に取付けるだけで、誰でも簡単に着ることができると共に、腰紐のように体が締め付けられる感じがなく疲れない。また襦袢１にはその内側に胸部補正パット１０が取付けられているので、胸部分のくぼみが補正され、また鳩尾補正パット１１により、胸と腹との間の鳩尾のくぼみを補正することができる。また後身頃２Ｃに取付けた逆山形状の腰補正パット１４は腰部分の４カ所のくぼみを補正することができる。
【００２４】
また連結部２０を構成する帯状のゴム１６は、後身頃２Ｃの中間にＶ形状に縫い付けてギャザー１７が形成されているので、図１２に示すように中央から下方に向かう大きな引張り力が働き、更にこの両側にも斜め下方に向かう引張り力が働くため、図１３に示すように半衿５を取付けた衿４が後方に引かれた状態となって衣紋が奇麗に抜け、しかも長時間にわたって着崩れを防止することができる。
【図面の簡単な説明】
【００２５】
【図１】本考案の実施例による襦袢の正面図である。
【図２】図１の襦袢を示す背面図である。
【図３】図１の襦袢の左右の前身頃を開いた状態を示す正面図である。
【図４】補正パットと衿芯を示す正面図である。
【図５】後身頃に形成した袋に帯状のゴムを通して縫い付けた状態を示す断面図である。
【図６】調整可能な連結部のボタン孔にボタンを掛けた状態を示す正面図である。
【図７】半衿の正面図である。
【図８】衿に半衿を取付けた状態を示す断面図である。
【図９】裾除けを広げた状態を示す正面図である。
【図１０】図９の裾除けを広げた状態を示す背面図である。
【図１１】襦袢を着付けている状態を示す斜視図である。
【図１２】襦袢を着付けた状態を示す背面図である。
【図１３】図１２の側面図である。
【符号の説明】
【００２６】
１      襦袢                                                
２      身頃                                                
２Ａ    左前身頃    
２Ｂ    右前身頃      
２Ｃ    後身頃          
３      袖        
４      衿                                                  
５      半衿                                                
７      ポケット                                            
８      ポケット                                            
９      ポケット                                            
１０    胸部補正パット                                      
１１    鳩尾補正パット                                      
１３    面ファスナー                                        
１４    腰補正パット                                        
１５    袋                                                  
１６    帯状のゴム                                          
１７    ギャザー                                            
１９    ボタン孔                                            
２０    連結部                                              
２１    ボタン                                              
２３    衿芯                                                
２４    収納部                                              
２６    裾除け                                              
２７    布                                                  
２８    ゴム      
【図１】
0003107843.tif 000003
【図２】
0003107843.tif 000004
【図３】
0003107843.tif 000005
【図４】
0003107843.tif 000006
【図５】
0003107843.tif 000007
【図６】
0003107843.tif 000008
【図７】
0003107843.tif 000009
【図８】
0003107843.tif 000010
【図９】
0003107843.tif 000011
【図１０】
0003107843.tif 000012
【図１１】
0003107843.tif 000013
【図１２】
0003107843.tif 000014
【図１３】
0003107843.tif 000015